(57)【要約】【課題】タイムコード情報を含めた映像信号を簡単に精度高く変換する。【解決手段】フレームデータ取り出し器６，８は、第１映像信号から任意のフレームデータを順次取り出す。記録器７はフレームデータを一時記録する。読み出し器５，９は、記録しているフレームデータを第２フレームレートに基づいてその記録順に沿って順次読み出すことで第２映像信号を生成する。タイムコード情報取り出し器５は、第１映像信号に含まれる第１フレームレートのタイムコード情報を取り出す。タイムコード更新情報生成器１０は、フレームデータの取り出し順に沿ってタイムコード更新情報を生成する。タイムコード更新器１１は、第１フレームレートのタイムコード情報を、タイムコード更新情報に基づいて更新処理することで、第２フレームレートのタイムコード情報を生成する。【選択図】　図１
2004120308.tif 000002
【特許請求の範囲】
【請求項１】
第１フレームレートを有する映像信号（以下、第１映像信号という）を、第２フレームレートを有する映像信号（以下、第２映像信号という）に変換する映像再生レート変換装置であって、
前記第１映像信号から、任意のフレームデータを順次取り出すフレームデータ取り出し器と、
前記フレームデータ取り出し器で取り出した前記フレームデータを一時記録する記録器と、
前記記録器で記録している前記フレームデータを前記第２フレームレートに基づいてその記録順に沿って順次読み出すことで前記第２映像信号を生成する読み出し器と、
前記第１映像信号に含まれる前記第１フレームレートのタイムコード情報を取り出すタイムコード情報取り出し器と、
前記フレームデータ取り出し器によるフレームデータの取り出し順に沿ってタイムコード更新情報を生成するタイムコード更新情報生成器と、
前記タイムコード情報取り出し器が取り出した前記第１フレームレートのタイムコード情報を、前記タイムコード更新情報生成器が生成したタイムコード更新情報に基づいて更新処理することで、前記第２フレームレートのタイムコード情報を生成するタイムコード更新器と、
を有することを特徴とする映像再生レート変換装置。
【請求項２】
請求項１に記載の映像再生レート変換装置において、
前記第１映像信号は、その映像信号中に前記第２フレームレートのフレームデータが一部重複された形態で順次配置されてなる映像信号であり、
前記フレームデータ取り出し器は、前記第１映像信号から前記第２フレームレートのフレームデータを順次取り出すものである、
ことを特徴とする映像再生レート変換装置。
【請求項３】
請求項２に記載の映像再生レート変換装置において、
前記第１フレームレートは前記第２フレームレートよりフレームレートが高い、
ことを特徴とする映像再生レート変換装置。
【請求項４】
請求項２または３に記載の映像再生レート変換装置において、前記第１映像信号は、前記第２フレームレートの有効フレームデータの配置位置を示す有効フレーム情報が添付されたものであり、
前記フレームデータ取り出し器は、前記第１映像信号から前記有効フレーム情報を検出してその検出結果に基づいて前記第２フレームレートのフレームデータを取り出すものである、
ことを特徴とする映像再生レート変換装置。
【請求項５】
請求項４に記載の映像再生レート変換装置において、
前記タイムコード更新情報生成器は、前記フレームデータ取り出し器による前記有効フレーム情報検出結果に基づいてタイムコード更新情報を生成するものである、
ことを特徴とする映像再生レート変換装置。
【発明の詳細な説明】
【０００１】
【発明の属する技術分野】
本発明は、第１フレームレートの映像信号を第２フレームレートの映像信号に変換する映像再生レート変換装置に関する。
【０００２】
【従来の技術】
従来から、第１フレームレートの映像信号（以下、第１映像信号という）を第２フレームレートの映像信号（以下、第２映像信号という）に変換する場合、その変換処理は画像メモリを用いて、次のように実施される。
【０００３】
第１映像信号を構成するフレームデータは、第１フレームレートに沿って画像メモリの各フレームメモリ領域に順次書き込まれる。そののち、第２フレームレートに沿って前記フレームメモリ領域から順次読み出されることで第２映像信号に変換される（例えば、特許文献１参照）。
【０００４】
【特許文献１】
特開２００１−９２４２９号公報（段落０００２〜００１１）
【０００５】
【発明が解決しようとする課題】
しかしながら、従来の変換構成では、第１映像信号に添付されているタイムコードを、第２映像信号に精度高く対応させた状態で変更することは容易ではない。このようなタイムコード変換を実施するためには、非常に複雑な計算処理を実施する必要があり、そのために、映像再生レート変換装置とは別にタイムコード変換装置を設けている。しかしながら、これでは、装置のシステム構成が複雑化かつ大型化するうえに、変換後のタイムコード情報を第２映像信号に精度高く同期した状態で出力するためには新たな回路構成が必要となる、といった課題がある。
【０００６】
したがって、本発明の主たる目的は、タイムコード情報を含めた映像信号を、装置構成が複雑化することなく精度高く変換することができる映像再生レート変換装置を提供することである。
【０００７】
【課題を解決するための手段】
上述した目的を達成するためには、本発明は、第１フレームレートを有する映像信号（以下、第１映像信号という）を、第２フレームレートを有する映像信号（以下、第２映像信号という）に変換する映像再生レート変換装置であって、
前記第１映像信号から、任意のフレームデータを順次取り出すフレームデータ取り出し器と、
前記フレームデータ取り出し器で取り出した前記フレームデータを一時記録する記録器と、
前記記録器で記録している前記フレームデータを前記第２フレームレートに基づいてその記録順に沿って順次読み出すことで前記第２映像信号を生成する読み出し器と、
前記第１映像信号に含まれる前記第１フレームレートのタイムコード情報を取り出すタイムコード情報取り出し器と、
前記フレームデータ取り出し器によるフレームデータの取り出し順に沿ってタイムコード更新情報を生成するタイムコード更新情報生成器と、
前記タイムコード情報取り出し器が取り出した前記第１フレームレートのタイムコード情報を、前記タイムコード更新情報生成器が生成したタイムコード更新情報に基づいて更新処理することで、前記第２フレームレートのタイムコード情報を生成するタイムコード更新器と、
を有することに特徴を有している。
【０００８】
タイムコード更新情報生成器が生成するタイムコード更新情報はフレームデータ取り出し器によるフレームデータの取り出し順に沿って生成される。そのため、タイムコード更新器が第１フレームレートのタイムコード情報からタイムコード更新情報に基づいた更新処理により第２フレームレートのタイムコード情報を生成した場合、そのタイムコード更新情報は、フレームレート変換に精度高く即した情報となる。しかも、タイムコードの生成は、複雑な変換計算処理を行うことなく、第１フレームレートのタイムコード情報とタイムコード更新情報とだけに基づいて生成することが可能となる。
【０００９】
なお、前記第１映像信号は、その映像信号中に前記第２フレームレートのフレームデータが一部重複された形態で順次配置されてなる映像信号であり、
前記フレームデータ取り出し器は、前記第１映像信号から前記第２フレームレートのフレームデータを順次取り出すものである、
のが好ましい。
【００１０】
第１映像信号に対して、フレームレートを上げるレート変換（以下、一次変換という）が実施されたのち、一次変換後の映像信号に対して元のフレームレートに戻す再変換（以下、二次変換という）が実施される場合を想定する。この場合、一次変換後の映像信号を構成するフレームデータとして、元の映像信号を構成するフレームデータの一部が重複して用いられる。そのため、一次変換後の映像信号中には、第１映像信号のフレームデータが断続的に配置されることになる。
【００１１】
このような二次変換を実施する場合において、本発明は好適に実施することが可能となる。具体的にいえば、前記第１フレームレートは前記第２フレームレートよりフレームレートが高い場合において、本発明は好適に実施することができる。
【００１２】
なお、前記第１映像信号は、前記第２フレームレートの有効フレームデータの配置位置を示す有効フレーム情報が添付されたものであり、
前記フレームデータ取り出し器は、前記第１映像信号から前記有効フレーム情報を検出してその検出結果に基づいて前記第２フレームレートのフレームデータを取り出すものであれば、第２フレームレートのフレームデータの取り出しを確実に行うことができるようになる。
【００１３】
さらに、前記タイムコード更新情報生成器は、前記フレームデータ取り出し器による前記有効フレームデータの検出結果に基づいてタイムコード更新情報を生成するものであれば、タイムコード更新情報を精度高く生成することができるようになる。
【００１４】
【発明の実施の形態】
第１の実施の形態
以下に説明する第１の実施の形態では、次のような場合を想定して本発明を実施している。
【００１５】
まず、２５フレーム／秒のプログレッシプ映像信号（以下、２５ｐ映像信号という）に対して、フレームレートを上げるレート変換（以下、一次変換という）が実施されることで、６０フレーム／秒のプログレッシブ映像信号（以下、６０ｐ映像信号という）が生成される。そののち、一次変換後の映像信号（６０ｐ映像信号）に対して元のフレームレートに戻す再変換（以下、二次変換という）が実施される。このような二次変換を経て２５ｐ映像信号が作製される場合を想定する。
【００１６】
この場合、一次変換後の映像信号（６０ｐ映像信号）を構成するフレームデータとして、元の映像信号（２５ｐ映像信号）を構成するフレームデータが重複して配置される。このような二次変換を実施する場合において、本発明を好適に実施することができる。なお、この場合、一次変換後の映像信号（６０ｐ映像信号）が第１映像信号に相当し、６０フレーム／秒のフレームレートが第１フレームレートに相当し、二次変換後の映像信号（２５ｐ映像信号）が第２映像信号に相当し、２５フレーム／秒のフレームレートが第２フレームレートに相当する。
【００１７】
まず、本実施形態の映像再生レート変換装置の構成が説明される。図１は、本実施形態の映像再生レート変換装置１の構成を示すブロック図である。
【００１８】
この映像再生レート変換装置１は、２５Ｈｚ同期基準信号発生器３と、再生部４と、ＴＣ情報検出器５と、有効フレーム情報検出器６と、メモリ７と、書き込み制御器８と、読み出し制御器９と、ＴＣ更新情報生成器１０と、ＴＣ更新器１１とを備えている。
【００１９】
２５Ｈｚ同期基準信号発生器３は、装置１の外部から供給される２５Ｈｚ同期信号Ｓ２５から２５Ｈｚ同期基準信号Ｓｓ２５を生成する。２５Ｈｚ同期基準信号発生器３は、２５Ｈｚ同期基準信号Ｓｓ２５を再生部４とＴＣ更新情報生成器１０とＴＣ更新器１１に出力する。
【００２０】
再生部４は、一次変換後の映像信号（６０ｐ映像信号）が収録されたビデオテープＶＴを再生する。ＴＣ情報検出器５は、再生部４で再生される一次変換後の映像信号（６０ｐ映像信号）の出力先頭位置にあるタイムコード情報（以下、先頭タイムコード情報）ＴＣｔを取り出す。ＴＣ情報検出器５は、先頭タイムコード情報ＴＣｔをＴＣ更新器１１に出力する。
【００２１】
有効フレーム情報検出器６は、再生部４で再生される一次変換後の映像信号（６０ｐ映像信号）から有効フレーム情報Ｆｖを取り出す。有効フレーム情報検出器６は、有効フレーム情報Ｆｖを書き込み制御器８とＴＣ更新情報生成器１０とに出力する。
【００２２】
メモリ７は、再生部４から出力される一次変換後の映像信号（６０ｐ映像信号）から、２５ｐ映像信号のフレームデータを選択的に抜き出して記憶する。
【００２３】
書き込み制御器８は、メモリ７に対する書き込み操作を有効フレーム情報Ｆｖに基づいて制御する。
【００２４】
読み出し制御器９は、メモリ７に対する読み出し操作を、２５Ｈｚ同期基準信号Ｓｓ２５に基づいて制御する。
【００２５】
ＴＣ更新情報生成器１０は、有効フレーム情報Ｆｖと、２５Ｈｚ同期基準信号Ｓｓ２５とからタイムコード更新情報Ｔｒを生成する。ＴＣ更新情報生成器１０は、タイムコード更新情報ＴｒをＴＣ更新器１１に出力する。
【００２６】
ＴＣ更新器１１は、タイムコード更新情報Ｔｒと先頭タイムコード情報ＴＣｔと２５Ｈｚ同期基準信号Ｓｓ２５とから二次変換後の２５ｐ映像信号に即したタイムコード情報ＴＣ２５を生成する。
【００２７】
再生部４は、６０Ｈｚ同期基準信号発生器２０と、再生器２１と、６０Ｈｚ位相比較器２２と、再生制御器２３とを備えている。再生器２１は、一次変換後の映像信号（６０ｐ映像信号）が収録されたビデオテープＶＴを再生する。６０Ｈｚ同期基準信号発生器２０は、２５Ｈｚ同期基準信号Ｓｓ２５から６０Ｈｚ同期基準信号Ｓｓ６０を生成する。６０Ｈｚ同期基準信号発生器２０は、６０Ｈｚ同期基準信号Ｓｓ６０を６０Ｈｚ位相比較器２２に出力する。６０Ｈｚ位相比較器２２は、再生器２１で再生される一次変換後の映像信号（６０ｐ映像信号）から６０Ｈｚ同期信号を取り出す操作と、取り出した６０Ｈｚ同期信号と６０Ｈｚ同期基準信号発生器２０から入力される６０Ｈｚ同期基準信号Ｓｓ６０との比較操作とを実施する。６０Ｈｚ位相比較器２２は、比較結果を再生制御器２３に出力する。再生制御器２３は、６０Ｈｚ位相比較器２２から入力される比較結果に基づいて再生器２１の再生動作等を制御する。
【００２８】
このような構成を有する映像再生レート変換装置１では、有効フレーム情報検出器６と書き込み制御器８とから、フレームデータ取り出し器が構成され、メモリ７から記録器が構成され、２５Ｈｚ同期基準信号発生器３と読み出し制御器９とから読み出し器が構成され、ＴＣ情報検出器５からタイムコード情報取り出し器が構成され、ＴＣ更新情報生成器１０からタイムコード更新情報生成器が構成され、ＴＣ更新器１１からタイムコード更新器が構成されている。
【００２９】
以下、この映像再生レート変換装置１の動作を説明する。再生部４により、一次変換後の映像信号（６０ｐ映像信号）が収録されたビデオテープＶＴが再生される。再生された６０ｐ映像信号はメモリ７等に向けて出力される。
【００３０】
本実施形態のように、２５ｐ映像信号が６０ｐ映像信号に一次変換される場合には、通常、２５ｐ映像信号の１フレーム分のフレームデータが６０ｐ映像信号の複数フレームのフレームデータとして重複配置される。本実施形態では、このような重複配置処理が、具体的には図２（ｂ）に示す映像変換処理として実施される。図２（ｂ）では、各数字が２５ｐ映像信号の各フレームデータを示している。この映像変換処理では、図２（ａ）に示す６０Ｈｚ同期基準信号Ｓｓ６０に基づいて、
・２５ｐ映像信号の１フレーム分のフレームデータが６０ｐ映像信号の２フレーム分のフレームデータとして重複配置される第１の処理と、
・次に、３フレーム分のフレームデータとして重複配置される第２の処理と、
・次に、２フレーム分のフレームデータとして重複配置される第３の処理と、
・次に、３フレーム分のフレームデータとして重複配置される第４の処理と、
・次に、２フレーム分のフレームデータとして重複配置される第５の処理と、
を一組とする一連の処理が順次実施されており、このような処理により上記重複配置処理が実施される。
【００３１】
一次変換後の映像信号（６０ｐ映像信号）には、図２（ｃ）に示すタイムコード情報ＴＣ６０が添付されている。タイムコード情報ＴＣ６０は、６０ｐ映像信号の２フレーム分を一単位として順次更新されるコード情報である。具体的にはタイムコード情報ＴＣ６０は、コード（００）〜（２９）が、（６０／２）Ｈｚ＝３０Ｈｚ周期で繰り返し更新される情報である。
【００３２】
一次変換後の映像信号（６０ｐ映像信号）には、図２（ｄ）に示す有効フレーム情報Ｆｖが添付されている。有効フレーム情報Ｆｖは次のような情報である。
有効フレーム情報Ｆｖは、一次変換後の映像信号（６０ｐ映像信号）中に重複配置されている２５ｐ映像信号のフレームデータのうちで、２５ｐ映像信号を構成するフレームデータとして有効と規定するものを特定する情報である。
【００３３】
図２においては、有効フレーム情報Ｆｖは、次のように設定されている。すなわち、２フレーム重複している箇所では１フレーム目に有効フレーム情報Ｆｖが付与され、３フレーム重複している箇所では２フレーム目に有効フレーム情報Ｆｖが付与されている。しかしながら、これは一例であって、２フレーム重複箇所、３フレーム重複箇所ともに、１フレーム目に有効フレーム情報Ｆｖが付与されていてもよい。要は、重複しているフレームのいずれかに有効フレーム情報Ｆｖが付与されていればよい。
【００３４】
再生器２１が一次変換後の映像信号（６０ｐ映像信号）をメモリ７等に向けて出力し始めると、ＴＣ情報検出器５は、その一次変換後の映像信号（６０ｐ映像信号）の出力先頭位置にあるタイムコード情報（以下、先頭タイムコード情報という）ＴＣｔを取り出してＴＣ更新器１１に出力する。以下、先頭タイムコード情報ＴＣ６０として、タイムコード情報ＴＣ６０（０２）が取り出された状態を想定し、その場合の操作が説明される。
【００３５】
有効フレーム情報検出器６は、一次変換後の映像信号（６０ｐ映像信号）から有効フレーム情報Ｆｖを取り出してＴＣ更新情報生成器１０と書き込み制御器８とに出力する。
【００３６】
書き込み制御器８は、有効フレーム情報Ｆｖに基づいてメモリ７に対する一次変換後の映像信号（６０ｐ映像信号）の書き込み操作を次のように制御する。
【００３７】
すなわち、有効フレーム情報Ｆｖに基づいて一次変換後の映像信号（６０ｐ映像信号）の中から有効と規定するフレームデータ（図２（ｅ）参照）を取り出してメモリ７に書き込む制御を書き込み制御器８は実施する。
【００３８】
書き込み制御器８による書き込み制御により、２５ｐ映像信号のフレームデータがその配置順に沿って６０ｐ映像信号から取り出されてメモリ７に順次書き込まれる。
【００３９】
読み出し制御器９は、メモリ７に書き込まれたフレームデータを図２（ｆ）に示す２５Ｈｚ同期基準信号Ｓｓ２５に同期させた状態で読み出す。そのため、メモリ７からは、図２（ｇ）に示す二次変換後の２５ｐ映像信号が出力される。ここで、２５Ｈｚ同期基準信号Ｓｓ２５は、６０Ｈｚ同期基準信号Ｓｓ６０と同期した信号形態を有している。そのため、メモリ７から出力される二次変換後の２５ｐ映像信号は、一次変換後の６０ｐ映像信号に同期した信号形態となる。
【００４０】
以上が二次変換後の２５ｐ映像信号の作製操作である。次に、タイムコード情報の変換操作が説明される。
【００４１】
ＴＣ情報検出器５は、再生部４で再生される一次変換後の６０ｐ映像信号から先頭タイムコード情報ＴＣｔを検出してＴＣ更新器１１に出力する。ここでは、タイムコード情報ＴＣ（０２）が先頭タイムコード情報ＴＣｔとして検出されたとする。
【００４２】
有効フレーム情報検出器６は、一次変換後の６０ｐ映像信号（再生映像信号）から有効フレーム情報Ｆｖを検出してＴＣ更新情報生成器１０に出力する。ＴＣ更新情報生成器１０は入力される有効フレーム情報Ｆｖの入力数をカウントすることで、ＴＣ更新情報Ｔｒを生成する。具体的には、ＴＣ更新情報Ｔｒは次のように生成される。
【００４３】
図２（ｈ）に示すように、一次変換後の６０ｐ映像信号（再生映像信号）の出力先頭位置で有効フレーム情報Ｆｖが検出されるまでは、ＴＣ更新情報Ｔｒは出力されない。再生映像信号の出力先頭位置で最初に有効フレーム情報Ｆｖが検出されると、ＴＣ更新情報Ｔｒ（０）が生成される。次の有効フレーム情報Ｆｖが検出されると、ＴＣ更新情報Ｔｒ（０）を一つカウントアップすることで、ＴＣ更新情報Ｔｒ（１）が生成される。このようにしてＴＣ更新情報生成器１０に有効フレーム情報Ｆｖが入力される毎に、ＴＣ更新情報Ｔｒは（２４）まで順次カウントアップされたのち、次は（００）にリセットされる。このような加算処理が繰り返し実施される。
【００４４】
カウントアップ処理し続けるＴＣ更新情報ＴｒはＴＣ更新器１１に順次入力される。ＴＣ更新器１１は、先頭タイムコード情報ＴＣｔにタイムコード更新情報Ｔｒを加算するすることで、二次変換後の映像信号（２５ｐ映像信号）に即したタイムコード情報ＴＣ２５を生成する。この加算処理は２５Ｈｚ同期基準信号Ｓｓ２５に同期した状態で実施される。
【００４５】
図２に示す例では、ＴＣ更新器１１に先頭タイムコード情報ＴＣｔ（０２）が入力されると、同時にタイムコード更新情報Ｔｒ（０）が入力される。ＴＣ更新器１１は先頭タイムコード情報ＴＣｔ（０２）にタイムコード更新情報Ｔｒ（０）を加算することで、タイムコード情報ＴＣ２５（０２）を生成する。次に、ＴＣ更新器１１にタイムコード更新情報Ｔｒ（＋１）が入力されると、このタイムコード情報ＴＣ２５（０２）にタイムコード更新情報Ｔｒ（＋１）を加算することで、タイムコード情報ＴＣ２５（０２）を生成する。
【００４６】
以上の加算処理を順次実施することで、ＴＣ更新器１１は、図２（ｉ）に示すように、二次変換後の映像信号（２５ｐ映像信号）に即したタイムコード情報ＴＣ２５を生成する。ＴＣ更新器１１は、生成したタイムコード情報ＴＣ２５を２５Ｈｚ同期基準信号Ｓｓ２５に同期させた状態で出力する。このように、二次変換後の映像信号（２５ｐ映像信号）とタイムコード情報ＴＣ２５とは、２５Ｈｚ同期基準信号Ｓｓ２５に同期した状態で出力されるために、互いに同期した信号形態となる。
【００４７】
なお、６０ｐ映像信号では、（００）〜（２９）のコード範囲でタイムコード情報ＴＣ６０が設けられているのに対して、２５ｐ映像信号では、（００）〜（２４）のコード範囲でしかタイムコード情報ＴＣ６０が設けられていない。そのため、２５ｐ映像信号では存在しない（２５）〜（２９）のコード範囲のタイムコード情報ＴＣ６０が、先頭タイムコード情報ＴＣｔとしてＴＣ情報検出器５で検出された場合には、次のような処理が実施される。すなわち、ＴＣ更新器１１は、入力される先頭タイムコード情報ＴＣｔ（２５）〜（２９）を桁上げして、先頭タイムコード情報ＴＣｔ（００）として取り扱う。これにより、処理不能となるのを防止することができる。
【００４８】
また、次のような逆算処理を行ってタイムコード情報ＴＣ２５を生成してもよい。すなわち、先頭タイムコード情報ＴＣｔが、次に（００）となるまでに有効フレーム情報Ｆｖが有効となる回数（以下、残余回数という）を求める。例えば、先頭タイムコード情報ＴＣｔ（２６）を検出した場合、残余回数は３となるから、この残余回数から求められる２５−３＝２２を、次の２５Ｈｚ同期基準信号Ｓｓ２５で出力すべきタイムコード情報ＴＣ２５とすることができる。
【００４９】
上記逆算処理の実施にあたっては、タイムコードが（２５）〜（２９）の場合だけによらず、全てのコード範囲（００）〜（２９）にあるタイムコード情報ＴＣ６０を先頭タイムコード情報ＴＣｔとして検出した場合において上記逆算処理を行うこともできる。そうすれば、タイムコード情報ＴＣ６０の上位桁情報（時・分・秒）と、タイムコード情報ＴＣ２５の上位桁情報（時・分・秒）とを同じ値で出力することができる。
【００５０】
また、先頭タイムコード情報ＴＣｔ検出時のみならず、タイムコード情報ＴＣ６０を連続して読み込んでいる際において、今回読み込んだタイムコード情報が前回読み込んだタイムコード情報と不連続となった場合に上記逆算処理を行ってもよい。そうすれば、映像シーンの変化等の要因でタイムコード情報ＴＣ６０が不連続となったとしても、タイムコード情報ＴＣ６０の上位桁情報（時・分・秒）と、タイムコード情報ＴＣ２５の上位桁情報（時・分・秒）とを同じ値で出力することができる。
【００５１】
第２の実施の形態
図３は本発明の第２の実施の形態であるＶＴＲ編集システム１００の構成を示す構成図である。この編集システム１００は、７２０／６０ｐ映像信号の映像信号の内容を編集しつつ、１０８０／２５ｐ映像信号にフォーマット変換したのち、ビデオテープＶＴ’に記録するシステムである。なお、７２０／６０ｐ映像信号とは、水平ライン数７２０本であってフレームレート６０Ｈｚの映像信号である。１０８０／２５ｐ映像信号とは、水平ライン数１０８０本であってフレームレート２５Ｈｚの映像信号である。
【００５２】
この編集システム１００は、フォーマット変換装置１０１と、編集制御装置１０２と、記録装置１０３と、同期信号発生装置１０４とを備えている。フォーマット変換装置１０１は、基本的には、第１の実施の形態の映像再生レート変換装置１と同様の構成を有しており、同一ないし同様の部分に同一の符号が付されており、それらについての説明は省略する。
【００５３】
フォーマット変換装置１０１は、映像フォーマット変換器１１０を有することに特徴がある。映像フォーマット変換器１１０は、メモリ７から読み出される７２０／２５ｐ映像信号を１０８０／２５ｐ映像信号に変換している。
【００５４】
記録装置１０３は、映像フォーマット変換器１１０から出力される１０８０／２５ｐ映像信号をビデオテープＶＴ’に記録している。
【００５５】
編集制御装置１０２は、再生器２１による７２０／６０ｐ映像信号の再生動作、記録装置１０３による１０８０／２５ｐ映像信号の記録操作を互いに関連付けて制御することで、映像データの編集を実施している。
【００５６】
同期信号発生装置１０４は、２５Ｈｚ同期信号を生成してフォーマット変換装置１０１と記録装置１０３とに供給している。
【００５７】
以上の構成を備えることで、編集システム１００は、
・７２０／６０ｐ映像信号から１０８０／２５ｐ映像信号へのフォーマット変換と、
・１０８０／２５ｐ映像信号での編集操作と、
・編集後の１０８０／２５ｐ映像信号の記録操作とを、
システム内で連続的に実施することができる。その結果、ダビング等の処理を施して外部に上記操作の一部を委託する必要が一切なくなって操作の無駄がなくなる。
【００５８】
上述した実施の形態では、第１フレームレートとして６０フレーム／秒フレームレートを、第２フレームレートとして２５フレーム／秒フレームレートを選定していたが、このようなフレームレートの選定は、本発明が実施できる第１、第２のフレームレートの一例に過ぎず、他のフレームレートの組合せにおいても同様に実施できるのはいうまでもない。
【００５９】
【発明の効果】
以上説明したように、本発明によれば、第１映像信号に添付されているタイムコードを、第２映像信号に精度高く対応させた状態で変更することができる。しかも、そのタイムコード変換を、複雑な計算処理を実施することなく比較的容易に実行することができる。これにより、装置のシステム構成を複雑化かつ大型化させることなく、タイムコードを変換することができる。
【図面の簡単な説明】
【図１】本発明の第１の実施形態の映像再生レート変換装置の構成を示す構成図である。
【図２】第１の実施の形態の映像再生レート変換装置の動作を示すタイミングチャートである。
【図３】本発明の第２の実施の形態の編集システムの構成を示す構成図である。
【符号の説明】
１映像再生レート変換装置　　　３　２５Ｈｚ同期基準信号発生器
４再生部　　　　　５　ＴＣ情報検出器
６有効フレーム情報検出器　　　７メモリ
８書き込み制御器　　　　９読み出し制御器
１０ＴＣ更新情報生成器　　　１１ＴＣ更新器
２０　６０Ｈｚ同器基準信号発生器　　２１再生器
２２　６０Ｈｚ位相比較器　　　２３再生制御器
Ｓ２５　２５Ｈｚ同期信号　　　Ｓｓ２５　２５Ｈｚ基準同期信号
Ｓｓ６０　６０Ｈｚ基準同期信号　　ＴＣ６０　タイムコード情報（６０ｐ）
ＴＣ２５　タイムコード情報（２５ｐ）　Ｆｖ有効フレーム情報
ＴＣｔ先頭タイムコード情報　　Ｔｒタイムコード更新情報
１００ＶＴＲ編集システム　　　１０１フォーマット変換装置
１０２編集制御装置　　　　１０３記録装置
１０４同期信号発生装置　　　１１０映像フォーマット変換器
【図１】
2004120308.tif 000003
【図２】
2004120308.tif 000004
【図３】
2004120308.tif 000005